(57)【要約】【課題】ユーザがサンプルの使用効果を鏡によって直ぐに確認することができ、その鏡が落下したり、紛失したりするおそれがなく、しかも、鏡として使用しないときにも、装飾的効果や表示手段としても機能しうるようにした商品陳列什器における商品陳列用棚板を提供することを目的としている。【解決手段】商品陳列什器における商品陳列用棚板であって、ほぼ水平板状の棚板本体６と、棚板本体６の前端部に取り付けられ、棚板本体６の前端より前方に突出し、かつ上面が鏡面７ａをなす鏡部材７と、鏡部材７の上面に、少なくとも一部が剥離可能で、かつ鏡部材７の鏡面７ａ上に載置した表示シート２０の上面を覆うように設けた弾性変形可能な透明のカバー９とを備える。【選択図】図３
2012187272.tif 000002
【特許請求の範囲】
【請求項１】
商品陳列什器における商品陳列用棚板であって、
ほぼ水平板状の棚板本体と、
前記棚板本体の前端部に取り付けられ、前記棚板本体の前端より前方に突出し、かつ上面が鏡面をなす鏡部材と、
前記鏡部材の上面に、少なくとも一部が剥離可能で、かつ鏡部材の鏡面上に載置した表示シートの上面を覆うように設けた弾性変形可能な透明のカバーとを備えることを特徴とする商品陳列用棚板。
【請求項２】
鏡部材を、棚板本体の前端より前下方に向かって傾斜するように設けた請求項１記載の商品陳列用棚板。
【請求項３】
鏡部材における鏡面を除く部分を透光性の材料により形成し、かつ棚板本体における前記鏡部材より後方の部分に発光体を設け、この発光体の光を、前記鏡部材の後端面から入射させて、鏡部材の前端面から前方に向けて放射させるようにした請求項１または２記載の商品陳列用棚板。
【請求項４】
鏡部材の前端部に、鏡部材の内部を通る前向きの光を、上方に向けて反射させる反射面を形成した請求項３記載の商品陳列用棚板。
【請求項５】
商品陳列什器における商品陳列用棚板であって、
ほぼ水平板状の棚板本体と、
前記棚板本体の前端部に取り付けられ、前記棚板本体の前端より前方に突出し、かつ上面が鏡面をなす鏡部材
とを備えることを特徴とする商品陳列用棚板。
【発明の詳細な説明】
【技術分野】
【０００１】
本発明は、商品陳列什器における商品陳列用棚板に関する。
【背景技術】
【０００２】
ドッラクストアやスーパーマーケット等において、商品を多段状の棚板に陳列するようにした各種の商品陳列什器が知られている。このような商品陳列什器においては、例えば化粧品を陳列する場合、棚板上に、販売用の化粧品とともに、そのサンプルを陳列しておき、ユーザがサンプルを試用できるようにしてあることがある。
このような場合、サンプルを試用した結果を確認するため、棚上に鏡を置いておくことが多い。
【０００３】
また、従来の商品陳列什器には、各棚板の前端にプライスカードや陳列商品の説明等を表示する表示手段を設けたものや、棚板の下面に取り付けた照明灯の光を、棚板におけるスリットから上方に向かって照射し、さらに、偏向手段によって偏向させることにより、商品を前下方から効果的に照明することができるようにしたもの等は公知である(例えば特許文献１参照)。
【先行技術文献】
【特許文献】
【０００４】
【特許文献１】特開２００１−２３８７７４号公報
【発明の概要】
【発明が解決しようとする課題】
【０００５】
従来のように、鏡を棚板上に載置しただけでは、鏡が棚板から落下したり、紛失したりするおそれがある。
また、従来のプライスカード等の表示手段を設けたものは、表示機能だけしかなく、また、照明灯や偏向手段等を設けたものは、装飾的機能しかないのが現状である。
【０００６】
本発明は、従来の技術が有する上記のような問題点に鑑み、ユーザがサンプルの使用効果を鏡によって直ぐに確認することができ、その鏡が落下したり、紛失したりするおそれがなく、しかも、鏡として使用しないときにも、装飾的効果や表示手段としても機能しうるようにした商品陳列什器における商品陳列用棚板を提供することを目的としている。
【課題を解決するための手段】
【０００７】
本発明によると、上記課題は、次のようにして解決される。
(１)商品陳列什器における商品陳列用棚板であって、ほぼ水平板状の棚板本体と、前記棚板本体の前端部に取り付けられ、前記棚板本体の前端より前方に突出し、かつ上面が鏡面をなす鏡部材と、前記鏡部材の上面に、少なくとも一部が剥離可能で、かつ鏡部材の鏡面上に載置した表示シートの上面を覆うように設けた弾性変形可能な透明のカバーとを備えるものとする。
【０００８】
このような構成とすると、棚板本体の前端部に鏡部材が取付けられ、かつ前端より前方に突出しているので、ユーザがサンプルの使用効果をこの鏡によって確認することができるとともに、鏡として使用しないときにも、外部の照明によって鏡面部分が輝光し、装飾的効果を奏することができ、また、カバーの下に表示シートを差し込むことによって、表示手段としても使用することができる。
さらに、弾性変形可能な透明のカバーによって、鏡部材の鏡面を汚濁や破損から保護することができる。
【０００９】
(２)上記(１)項において、鏡部材を、棚板本体の前端より前下方に向かって傾斜するように設ける。
【００１０】
このような構成とすると、商品陳列用棚板から前方に多少離れた位置からでも鏡を見ることができるので、利便性が向上する。
【００１１】
(３)上記(１)または(２)項において、鏡部材における鏡面を除く部分を透光性の材料により形成し、かつ棚板本体における前記鏡部材より後方の部分に発光体を設け、この発光体の光を、前記鏡部材の後端面から入射させて、鏡部材の前端面から前方に向けて放射させるようにする。
【００１２】
このような構成とすると、棚板本体の前端面から前方に放射される光によって、ユーザの注意を商品陳列用棚板に向けることができるため、棚板本体上に陳列した商品のＰＲ効果を向上させることができる。
【００１３】
(４)上記(１)〜(３)項のいずれかにおいて、鏡部材の前端部に、鏡部材の内部を通る前向きの光を、上方に向けて反射させる反射面を形成する。
【００１４】
このような構成とすると、ユーザが顔を鏡に近づけたとき、反射面によって反射した光を、ユーザの顔に照射することができ、ユーザの顔をより明瞭に確認することができる。
【００１５】
(５)商品陳列什器における商品陳列用棚板であって、ほぼ水平板状の棚板本体と、前記棚板本体の前端部に取り付けられ、前記棚板本体の前端より前方に突出し、かつ上面が鏡面をなす鏡部材とを備えるものとする。
【００１６】
このような構成とすると、棚板本体の前端部に鏡部材が取付けられ、かつ前端より前方に突出しているので、ユーザがサンプルの使用効果をこの鏡によって確認することができるとともに、鏡として使用しないときにも、外部の照明によって鏡面部分が輝光し、装飾的効果を奏することができる。
【発明の効果】
【００１７】
本発明によると、ユーザがサンプルの使用効果を鏡によって直ぐに確認することができ、その鏡が落下したり、紛失したりするおそれがなく、しかも、鏡として使用しないときにも、装飾的効果や表示手段としても機能しうるようにした商品陳列什器における商品陳列用棚板を提供することができる。
【図面の簡単な説明】
【００１８】
【図１】本発明の一実施形態を備える商品陳列什器の要部を斜め前上方から見た斜視図である。
【図２】１個の商品陳列用棚板と、それを支持する１対のブラケットとを斜め前上方から見た拡大斜視図である。
【図３】図１におけるIII−III線拡大縦断側面図である。
【図４】商品陳列用棚板の前端部の拡大縦断側面図である。
【図５】商品陳列用棚板の前端部の変形例の拡大縦断側面図である。
【図６】商品陳列用棚板の前端部の別の変形例の拡大縦断側面図である。
【発明を実施するための形態】
【００１９】
以下、本発明の実施形態を、添付図面を参照して説明する。
図１〜図４は、本発明を化粧品陳列用棚板に適用した一実施形態を示す。
【００２０】
この商品陳列什器は、図１に示すように、左右方向に適宜の間隔をもって配設された角管状の複数の支柱１を備えている。
各支柱１の前面には、多数のスリット２が、左右２列として、かつ上下方向に等間隔をもって穿設されている。
【００２１】
左右に隣接する１対の支柱１、１の前面には、陳列用棚板３が、左右１対のブラケット４、４をもって支持されている。
各ブラケット４は、図２に示すように、後端に設けた上下１対の下向き鉤形の係止片５、５を、各支柱１の前面における所望のスリット２に嵌合して、その下縁に係止することにより、支柱１より前方に突出するように取り付けられている。
【００２２】
陳列用棚板３は、ほぼ水平板状の棚板本体６と、この棚板本体６の前端部に取り付けられ、棚板本体６の前端より前方に突出し、かつ上面が鏡面７ａをなす鏡部材７と、この鏡部材７の上面に、少なくとも一部が剥離可能で、かつ鏡部材７の鏡面７ａ上に載置した表示シート８(図４参照)の上面を覆うように設けた弾性変形可能な透明のカバー９とを備えている。
【００２３】
棚板本体６は、水平の長方形の上面板１０と、その左右端から下方に延出する側片１１、１１と、同じく後端から下方に延出する後片１２と、同じく前端から下方に突出する前片１３とによって、底面が開口された皿状に形成されている。
【００２４】
上面板１０の後端部における左右両端には、支柱１の角に嵌め込む切欠き１４が設けられている。上面板１０の内面におけるほぼ中央には、図３に示すように、左右方向を向く上向きコ字状の補強部材１５が固着されている。補強部材１５の左右の端面と、棚板本体６の左右の側片１１との間には、ブラケット４(図２参照)の厚さとほぼ同じか、または僅かに大きな隙間が設けられている。
【００２５】
棚板本体６を支柱１に架設するには、まず左右に隣接する支柱１、１における上下１対のスリット２に、ブラケット４の係止片５、５(図２参照)を嵌合して、ブラケット４、４を支柱１、１に取付ける。次に、棚板本体６をブラケット４，４の上方から降下させ、棚板本体６の補強部材１５と左右の側片１１との隙間を、ブラケット４に嵌め込む。これにより、棚板本体６を、左右のブラケット４、４によって支柱１に安定よく架設することができる。
【００２６】
棚板本体６内の前端部寄りの部分には、図３に示すように、下向のコ字状部１６と、その前部下端から前方に延出する水平片１７とからなる取付板１８が設けられている。水平板状をなす鏡部材７は、取付板１８の水平片１７に、次のようにして取付けられている。
【００２７】
すなわち、鏡部材７は、その後部がねじ１９によって取付板１８における水平片１７の下面に固定され、前部が棚板本体６における前片１３の下端にほぼ接触して前方に突出している。この例では、図１に示すように、全ての棚板本体６に鏡部材７が設けられているが、一部の棚板本体６にのみ、鏡部材７を設けてもよい。
【００２８】
図２に示すように、鏡部材７の上面である鏡面７ａ上に設けられた透明のカバー９は、鏡部材７とほぼ同形状で、肉厚が鏡部材７より薄い弾性変形可能な合成樹脂によって形成されている。この透明のカバー９は、図３に示すように、その後部が取付板１８における水平片１７と、鏡部材７とによって挾持されている。
【００２９】
透明のカバー９の前部に上方への力を加えると、鏡部材７から剥離して棚板本体６における前片１３付近から上方に弾性変形し、鏡部材７と透明のカバー９との間に隙間をあけることができる。この隙間に、プライスカード等の表示シート２０を挿入した後、透明のカバー９を元に戻すことによって、表示シート２０を鏡部材７の鏡面７ａ上に位置ずれすることなく表示することができる。また、表示シート２０は、上記と同様にして簡単に取り出すことができる。
【００３０】
棚板本体６内の取付板１８におけるコ字状部１６の後部垂直片２１の左右両端部には、前向の蛍光灯ソケット２２がねじ２３によって取り付けられ、左右の蛍光灯ソケット２２の間に、左右方向を向く蛍光灯２４が、鏡部材７の後端面と対向するように取付けられている。蛍光灯２４の光は、図４に示すように、鏡部材７の後端面から鏡部材７の内部を通り、前端部における上下の面取り部分から、前上方、および前下方に向かって照射される。
【００３１】
図５は、本発明の商品陳列用棚板の前端部の変形例を示す。なお、以下の説明では、図１〜図４と同一の部分には、同一の符号を付して説明を省略する。この変形例においては、鏡部材２５の前端に、前上方を向く反射面２６を形成してある。透明のカバー２７は、反射面２６の上方を開放するように、前方への突出量を小としてある。
【００３２】
蛍光灯２４(図３参照)の光は、鏡部材２５の内部を通り、先端の反射面２６によって上方に反射される。したがって、ユーザが鏡部材２５の上方に顔を近づけたとき、反射面２６から反射された光によって顔が照射され、ユーザの顔をより明瞭に確認することができる。
【００３３】
図６は、本発明の別の変形例を示す。この変形例においては、鏡部材２８および透明のカバー２９は、棚板本体６における前片１３付近から前下方に向かって傾斜するように折曲されている。したがって、ユーザは、棚板本体６にそれほど接近することなく、鏡を見ることができる。
【００３４】
本発明においては、本発明の範囲を逸脱しない範囲で、幾多の異なる形態での実施が可能である。
(１)鏡部材７を、アクリルに代えて、ガラス等の透明部材によって形成する。
(２)商品陳列用什器の一部の陳列用棚板３にのみ、鏡部材７、２５または２９を設ける。
【符号の説明】
【００３５】
１  支柱
２  スリット
３  陳列用棚板
４  ブラケット
５  係止片
６  棚板本体
７  鏡部材
７ａ  鏡面
８  表示シート
９  カバー
１０  上面板
１１  側片
１２  後片
１３  前片
１４  切欠き
１５  補強部材
１６  コ字状部
１７  水平片
１８  取付板
１９  ねじ
２０  表示シート
２１  後部垂直片
２２  蛍光灯ソケット
２３  ねじ
２４  蛍光灯
２５  鏡部材
２６  反射面
２７  カバー
２８  鏡部材
２９  カバー
【図１】
2012187272.tif 000003
【図２】
2012187272.tif 000004
【図３】
2012187272.tif 000005
【図４】
2012187272.tif 000006
【図５】
2012187272.tif 000007
【図６】
2012187272.tif 000008